(57)【要約】【課題】会計装置が会計処理中であっても、商品登録情報を転送することが可能な販売データ登録装置、会計装置およびプログラムを提供する。【解決手段】登録処理部（登録手段）が、客が購入する商品の商品情報を登録して、商品登録情報を生成する。そして、許可情報受信部（許可情報受信手段）が、会計処理を行う１台の会計装置から、商品登録情報の転送を許可する転送許可情報を受信したことを条件として、登録情報転送部（転送手段）が、会計装置に対して商品登録情報を転送する。【選択図】図６
2019128783.tif 000002
【特許請求の範囲】
【請求項１】
会計装置とともにチェックアウトシステムを構成する販売データ登録装置であって、
客が購入する商品の商品情報を登録して、商品登録情報を生成する登録手段と、
会計処理を行う１台の会計装置から、商品登録情報の転送を許可する転送許可情報を受信する許可情報受信手段と、
前記許可情報受信手段が、前記転送許可情報を受信したことを条件として、前記会計装置に対して商品登録情報を転送する転送手段と、
を備える販売データ登録装置。
【請求項２】
前記会計装置の動作状態をモニタするモニタ手段と、
前記モニタ手段のモニタ結果に基づいて、自身が行う登録処理の状態を管理する登録処理管理手段と、を更に備える、
ことを特徴とする請求項１に記載の販売データ登録装置。
【請求項３】
前記転送手段が転送可能な前記商品登録情報の上限値を設定する設定手段を更に備える、
ことを特徴とする請求項１または請求項２に記載の販売データ登録装置。
【請求項４】
前記会計装置における会計待ち数を表示する表示手段を更に備える、
ことを特徴とする請求項１から請求項３のいずれか１項に記載の販売データ登録装置。
【請求項５】
販売データ登録装置とともにチェックアウトシステムを構成する会計装置であって、
客が購入する商品の商品情報を登録して、商品登録情報を生成する１台の販売データ登録装置に対して、当該商品登録情報の転送を許可する転送許可情報を送信する送信手段と、
前記販売データ登録装置から転送された前記商品登録情報を受信する登録情報受信手段と、
前記登録情報受信手段が受信した商品登録情報に基づいて会計処理を行う会計手段と、
を備える会計装置。
【請求項６】
前記販売データ登録装置から転送された前記商品登録情報と、自身の動作状態と、に基づいて、会計処理の状態を管理する会計処理管理手段を更に備える、
ことを特徴とする請求項５に記載の会計装置。
【請求項７】
会計装置とともにチェックアウトシステムを構成する販売データ登録装置を制御するコンピュータを、
客が購入する商品の商品情報を登録して、商品登録情報を生成する登録手段と、
会計処理を行う１台の会計装置から、商品登録情報の転送を許可する転送許可情報を受信する許可情報受信手段と、
前記許可情報受信手段が、前記転送許可情報を受信したことを条件として、前記会計装置に対して、商品登録情報を転送する転送手段と、
して機能させるプログラム。
【請求項８】
販売データ登録装置とともにチェックアウトシステムを構成する会計装置を制御するコンピュータを、
客が購入する商品の商品情報を登録して、商品登録情報を生成する１台の販売データ登録装置に対して、当該商品登録情報の転送を許可する転送許可情報を送信する送信手段と、
前記販売データ登録装置から転送された、前記商品登録情報を受信する登録情報受信手段と、
前記登録情報受信手段が受信した商品登録情報に基づいて会計処理を行う会計手段と、
して機能させるプログラム。
【発明の詳細な説明】
【技術分野】
【０００１】
本発明の実施形態は、販売データ登録装置、会計装置およびプログラムに関する。
【背景技術】
【０００２】
スーパーマーケット等の小売店舗において、購入する商品の登録処理と会計処理とを異なる装置で行う、いわゆるセミセルフ方式と呼ばれる処理形態が利用されている。セミセルフ方式のレジでは、登録装置のオペレータは、顧客が購入する商品を全て登録した後、商品登録情報を一括して会計装置に転送する。顧客は、会計装置において、転送された商品情報に基づいて会計を行う（例えば、特許文献１）。
【０００３】
しかしながら、このような従来の登録装置にあっては、会計装置が会計処理中には、商品登録情報を会計装置に転送することができないため、会計待ちの客が滞留してしまうという問題があった。
【発明の概要】
【発明が解決しようとする課題】
【０００４】
本発明が解決しようとする課題は、会計装置が会計処理中であっても、商品登録情報を転送することが可能な販売データ登録装置、会計装置およびプログラムを提供することである。
【課題を解決するための手段】
【０００５】
実施形態の販売データ登録装置は、会計装置とともにチェックアウトシステムを構成して、登録手段と、許可情報受信手段と、転送手段とを備える。登録手段は、客が購入する商品の商品情報を登録して、商品登録情報を生成する。許可情報受信手段は、会計処理を行う１台の会計装置から、商品登録情報の転送を許可する転送許可情報を受信する。転送手段は、許可情報受信手段が、転送許可情報を受信したことを条件として、会計装置に対して商品登録情報を転送する。
【０００６】
また、実施形態の会計装置は、販売データ登録装置とともにチェックアウトシステムを構成して、送信手段と、登録情報受信手段と、会計手段とを備える。送信手段は、客が購入する商品の商品情報を登録して商品登録情報を生成する１台の販売データ登録装置に対して、当該商品登録情報の転送を許可する転送許可情報を送信する。登録情報受信手段は、販売データ登録装置から転送された商品登録情報を受信する。会計手段は、登録情報受信手段が受信した商品登録情報に基づいて会計処理を行う。
【図面の簡単な説明】
【０００７】
【図１】図１は、実施形態に係るチェックアウトシステムのシステム構成の一例を示す図である。
【図２】図２は、店舗における登録装置および会計装置のレイアウトの一例を示す図である。
【図３】図３は、登録装置の外観の一例を示す斜視図である。
【図４】図４は、会計装置の外観の一例を示す斜視図である。
【図５】図５は、登録装置および会計装置のハードウェア構成の一例を示すブロック図である。
【図６】図６は、チェックアウトシステムの機能構成の一例を示す機能ブロック図である。
【図７】図７は、登録装置と会計装置がそれぞれ備える状態管理テーブルの一例を示す図である。
【図８】図８は、登録装置の表示器に表示される画面の一例を示す第１の図である。
【図９】図９は、登録装置の表示器に表示される画面の一例を示す第２の図である。
【図１０】図１０は、登録装置の表示器に表示される画面の一例を示す第３の図である。
【図１１】図１１は、登録装置の表示器に表示される画面の一例を示す第４の図である。
【図１２】図１２は、登録装置の表示器に表示される画面の一例を示す第５の図である。
【図１３】図１３は、登録装置の表示器に表示される画面の一例を示す第６の図である。
【図１４】図１４は、会計装置の表示器に表示される画面の一例を示す第１の図である。
【図１５】図１５は、会計装置の表示器に表示される画面の一例を示す第２の図である。
【図１６】図１６は、会計装置の表示器に表示される画面の一例を示す第３の図である。
【図１７】図１７は、チェックアウトシステムが行う処理の流れの一例を示すフローチャートである。
【発明を実施するための形態】
【０００８】
以下、添付図面を参照して、発明の実施形態について説明する。なお、以下に示す実施形態では、本発明をスーパーマーケット等の店舗に導入されるセミセルフ方式のチェックアウトシステムに適用した例について説明するが、この実施形態に限定されるものではない。
【０００９】
（セミセルフ方式のチェックアウトシステムの全体構成の説明）
図１は、実施形態に係るチェックアウトシステム１のシステム構成の一例を示す図である。図１に示すように、チェックアウトシステム１は、１台の登録装置１０と、１台の会計装置２０とを有する。登録装置１０と会計装置２０とは、ＬＡＮ（Local  Area  Network）等のネットワークＮを介して通信可能に接続される。
【００１０】
図２は、店舗における、登録装置１０および会計装置２０のレイアウトの一例を示す図である。
【００１１】
図２に示すように、登録装置１０と会計装置２０とは、店舗内の所定エリアにおいて、分離（離間）した状態で配置される。登録装置１０は、例えば、テーブル状の作業台４２の上に設置される。登録装置１０は、店員であるオペレータＯにより操作され、顧客Ｃ２が購入する商品の登録処理を実行する。
【００１２】
図２のレイアウトにおいて、顧客Ｃ２は、購入する商品を籠等に入れて作業台４２に運ぶ。登録装置１０のオペレータＯは、顧客Ｃ２が持ち込んだ各商品をスキャナ１０１（図３参照）に読み取らせることで、その商品を識別可能な、後述する商品識別情報を登録装置１０に入力する。このとき、オペレータＯは、作業台４２を挟んで顧客Ｃ２と対面した状態で登録装置１０を操作する。そして、オペレータＯは、一取引分の商品の登録が完了すると、タッチパネル１０３又はキーボード１０５（図３参照）を操作することで、商品の登録終了を指示する。このとき、登録装置１０は、一取引分の商品情報、合計金額等を含む、顧客Ｃ２に係る商品登録情報を、会計装置２０に転送する。その後、顧客Ｃ２は、登録が完了した商品を籠等に入れて会計装置２０に運び、会計装置２０を操作することで商品の購入代金の会計（決済）を行う。
【００１３】
なお、図２に示すように、本実施形態にあっては、顧客Ｃ２よりも先に商品の登録を完了した顧客Ｃ１が、先に会計装置２０で会計を行う。すなわち、先に商品の登録を完了した顧客Ｃ１が会計装置２０で会計を行っている場合は、次に商品の登録を完了した顧客Ｃ２は、顧客Ｃ１の後ろで、顧客Ｃ１が会計を完了するのを待つ。
【００１４】
登録装置１０は、会計装置２０が会計処理を行っている最中であっても、最大２つの商品登録情報を会計装置２０に転送できる。すなわち、図２の例では、顧客Ｃ１の商品登録情報と、顧客Ｃ２の商品登録情報とが、会計装置２０に転送される。そして、顧客Ｃ２の次に商品の登録を行う顧客Ｃ３については、登録装置１０において商品登録を行うことはできるが、顧客Ｃ１の会計が終了するまで、顧客Ｃ３の商品登録情報を会計装置２０に転送することはできない。
【００１５】
すなわち、本実施形態のチェックアウトシステム１にあっては、会計装置２０の前に、最大２名の顧客を並ばせる構成になっている。なお、この仕様は一例であって、登録装置１０から会計装置２０に転送可能な商品登録情報の数は、適宜設定することができるのは言うまでもない。
【００１６】
（登録装置の構成の説明）
図３は、登録装置１０の外観の一例を示す斜視図であり、図２に示すオペレータＯが操作する側から見た外観を示している。図３に示すように、作業台４２の上面に設置された登録装置１０は、読取窓１０２を有する縦型のスキャナ１０１を備える。スキャナ１０１は、読取窓１０２の奥側に撮像部（不図示）を配置している。なお、登録装置１０は、販売データ登録装置の一例である。
【００１７】
また、登録装置１０は、スキャナ１０１の上部にタッチパネル１０３が付いた表示器１０４、およびキーボード１０５を備えている。表示器１０４にはスキャナ１０１の撮像部で撮像された商品の商品名および価格等が表示される。タッチパネル１０３およびキーボード１０５は、登録する商品の情報の入力を補助するためのものである。
【００１８】
登録装置１０の左側には、顧客Ｃｉ（ｉ＝１，２，…）側を向けて、客側表示器１０７が設けられている。
【００１９】
登録装置１０は、撮像部で撮像された画像に含まれる商品を、商品に添付されたバーコードやＱＲコード（登録商標）等のコードシンボルの読み取り、または撮像部が撮像した商品の画像に基づく一般物体認識により特定する。具体的には、登録装置１０は、店舗で販売される各商品を識別する商品コードに、当該商品の商品名、価格等を対応付けて格納したＰＬＵファイルＦ１（図５参照）を参照し、読み取ったコードシンボルに含まれる商品コードに対応する商品を一意に特定する。
【００２０】
なお、画像中に含まれる物体を認識する一般物体認識（generic  object  recognition）については、下記の文献において認識技術が解説されている。
【００２１】
柳井  啓司，“一般物体認識の現状と今後”、情報処理学会論文誌、Ｖｏｌ．４８、Ｎｏ．ＳＩＧ１６  [平成３０年１月５日検索]、インターネット<URL：http://mm.cs.uec.ac.jp/IPSJ-TCVIM-Yanai.pdf>
【００２２】
また、登録装置１０は、特定した商品の確認や、個数等の入力を受け付ける画面を表示器１０４に表示する。そして、登録装置１０は、特定した商品の登録を行う。なお、登録とは、ＰＬＵファイルＦ１から読み出した商品の商品情報を、その商品の個数（購入数）等と関連付けて、登録装置１０の記憶装置（後述するＲＡＭやＨＤＤ１３６（図５参照））に保持することを意味する。
【００２３】
（会計装置の構成の説明）
会計装置２０は、登録装置１０で登録された商品登録情報に基づいて、会計処理を実行する。本実施形態では、会計装置２０は、上述したように顧客Ｃｉによって操作される。すなわち、登録装置１０と会計装置２０とが構成するチェックアウトシステム１は、セミセルフ方式のチェックアウトシステムを形成する。
【００２４】
図４は、会計装置２０の外観の一例を示す斜視図であり、図２に示す顧客Ｃ１が操作する側から見た外観を示している。図４に示すように、会計装置２０は、入出金装置２０１と、タッチパネル２０２と、表示器２０３と、レシートプリンタ２０４と、カードリーダ２０５と、発光部２０６と、表示器２０７と、を備えている。
【００２５】
入出金装置２０１は、硬貨投入口２１と、紙幣投入口２２と、紙幣出金口２３と、硬貨出金部２４とを備えている。入出金装置２０１は、紙幣投入口２２に投入された紙幣を紙幣収納部（不図示）に収納する。また、入出金装置２０１は、硬貨投入口２１に投入された硬貨を硬貨収納部（不図示）に収納する。そして、入出金装置２０１は、制御部５０（図５参照）からの釣銭の払い出し要求に応じて、紙幣の釣銭を紙幣出金口２３に払い出す。また入出金装置２０１は、制御部５０からの釣銭の払い出し要求に応じて、硬貨の釣銭を硬貨出金部２４に払い出す。
【００２６】
表示器２０３は、表面にタッチパネル２０２を備える。表示器２０３は、例えば液晶パネルで構成されて、一取引の合計金額等の会計処理に係る情報を、画像や文字で表示する。タッチパネル２０２は、表示器２０３の表面に設けられており、顧客Ｃｉが触れた位置に応じた情報を、制御部５０に出力する。
【００２７】
レシートプリンタ２０４は、印刷部（不図示）と、レシート発行口２６とを有している。レシートプリンタ２０４は、制御部５０の指示に従って印刷部が印字したレシートを、レシート発行口２６から発行する。
【００２８】
カードリーダ２０５は、カード挿入口２７から挿入されたクレジットカードや会員カード等に対して情報の読み書きを行う。
【００２９】
発光部２０６は、表示ポール２９の上端に設置されて、会計装置２０の動作に異常が生じた際等に発光する。発光部２０６は、例えば、青色に発光するＬＥＤ（Light  Emitting  Diode）と、赤色に発光するＬＥＤとを備えている。なお、発光部２０６は、青色、赤色とは異なる色のＬＥＤを用いてもよいし、その他の発光素子を用いてもよい。発光部２０６は、表示ポール２９の上端に設けられているため、登録装置１０のオペレータＯのみならず、他の店員からも目視しやすい。
【００３０】
また、表示ポール２９は、発光部２０６の下方に、画像や文字を表示する表示器２０７を備えている。表示器２０７は、例えば液晶パネルで構成される。表示器２０７は、例えば、会計装置２０で発生したエラーの内容等を表示する。
【００３１】
顧客Ｃｉは、会計装置２０を操作して、現金、クレジットカード、電子マネー等により、商品の代金を支払う処理、即ち、会計処理を行う。会計装置２０は、会計処理において、登録装置１０から受信した商品登録情報に基づいて、一取引の合計金額を表示し、当該合計金額分の会計に係る処理を制御する。商品登録情報は、処理対象とする一取引の合計金額、取引対象商品の商品情報、データ送信元である登録装置１０の装置ナンバー、担当オペレータ名等の情報を含む。商品登録情報は、レシート印字に必要なその他の情報を含んでもよい。例えば、商品登録情報は、レシート印字用の販促情報等を含んでもよい。
【００３２】
（チェックアウトシステムのハードウェア構成の説明）
次に、登録装置１０および会計装置２０のハードウェア構成について説明する。図５は、登録装置１０および会計装置２０のハードウェア構成の一例を示すブロック図である。
【００３３】
まず、登録装置１０のハードウェア構成について説明する。図５に示すように、登録装置１０は、制御部１５０を備えている。制御部１５０は、登録処理を実行するＣＰＵ（Central  Processing  Unit）と、記憶媒体であるＲＯＭ（Read  Only  Memory）およびＲＡＭ（Random  Access  Memory）（いずれも不図示）等を備える。ＲＯＭは、ＣＰＵが実行する各種プログラムや各種データ等を記憶する。ＲＡＭは、ＣＰＵが各種プログラムを実行する際に一時的にデータやプログラムを記憶する。またＲＡＭは、表示器１０４および客側表示器１０７に表示する各種の画面表示データを記憶する。
【００３４】
制御部１５０は、通信Ｉ／Ｆ（Interface）１４０を介して、ネットワークＮで接続されている会計装置２０とデータ通信を行う。
【００３５】
また、制御部１５０は、Ｉ／Ｏ（Input／Output）機器制御部１３９および内部バス１３８を介して、スキャナ１０１と、タッチパネル１０３とに接続される。また制御部１５０は、Ｉ／Ｏ機器制御部１３９および内部バス１３８を介して、表示器１０４と、キーボード１０５と、客側表示器１０７と、ＨＤＤ（Hard  Disk  Drive）１３６とに接続される。
【００３６】
タッチパネル１０３またはキーボード１０５には、置数ボタン（不図示）、小計ボタンＢ１（図８参照）、転送ボタンＢ２（図９参照）等の各種操作ボタンが配置される。置数ボタンは、同一商品を複数購入する際に、商品の個数の指示を受け付ける操作ボタンである。小計ボタンＢ１は、一取引における商品読取を終了し、一取引の合計金額を算出するとともに、一取引の合計金額を含めた商品登録情報の生成指示を受け付ける操作ボタンである。転送ボタンＢ２は、生成された商品登録情報を、会計装置２０に転送する転送指示を受け付ける操作ボタンである。なお、これらのボタンをタッチパネル１０３またはキーボード１０５にどのように配置するかは、適宜設計される。なお、本実施形態では、置数ボタンはキーボード１０５に配置して、小計ボタンおよび転送ボタンはタッチパネル１０３に配置されるものとする。
【００３７】
操作例としては、オペレータＯは、小計ボタンＢ１を操作して、一取引の合計金額を客側表示器１０７に表示させた後、転送ボタンＢ２を操作して、商品登録情報を会計装置２０に転送する。会計装置２０が起動状態にあって、なおかつ、会計装置２０に既に転送されて会計処理を未完了な商品登録情報が、所定の上限数未満である場合に、商品登録情報が会計装置２０に転送される。
【００３８】
一方、転送ボタンＢ２が操作されると、登録装置１０は、現在の顧客Ｃｉの登録処理を終了し、次の顧客に対する登録処理に移行する。また、登録処理を完了した顧客Ｃｉは、登録装置１０から会計装置２０に移動して会計処理を行う。会計装置２０は、顧客Ｃｉの商品登録情報を受信して、当該商品登録情報に基づく会計処理の開始を待ち受ける。
【００３９】
ＨＤＤ１３６には、制御プログラムＰ１と、ＰＬＵファイルＦ１と、売上ファイルＦ２とが記憶されている。制御プログラムＰ１は、制御部１５０が実行することによって、登録装置１０の各種制御を行うプログラムファイルである。ＰＬＵファイルＦ１は、各商品にユニークに割り当てられた商品コードと、その商品の名称、価格、商品分類等の商品に関する商品情報とを対応付けて格納している。また、登録装置１０が商品を一般物体認識（オブジェクト認識）により特定する構成であれば、ＰＬＵファイルＦ１は、更に、各商品の特徴量または基準画像を記憶する。尚、特徴量とは、商品の基準画像から読み取られた、商品の色合いや商品の表面の凹凸状況等のデータである。売上ファイルＦ２は、登録装置１０が生成した商品登録情報を格納するファイルである。
【００４０】
再び図５に戻り、会計装置２０のハードウェア構成について説明する。図５に示すように、会計装置２０は、制御部５０を備えている。制御部５０は、会計処理を実行するＣＰＵ（Central  Processing  Unit）と、記憶媒体であるＲＯＭ（Read  Only  Memory）およびＲＡＭ（Random  Access  Memory）（いずれも不図示）等を備える。ＲＯＭは、ＣＰＵが実行する各種プログラムや各種データ等を記憶する。ＲＡＭは、ＣＰＵが各種プログラムを実行する際に一時的にデータやプログラムを記憶する。またＲＡＭは、表示器２０３および表示器２０７に表示する各種の画面表示データを記憶する。
【００４１】
制御部５０は、通信Ｉ／Ｆ（Interface）４０を介して、ネットワークＮで接続されている登録装置１０とデータ通信を行う。
【００４２】
また、制御部５０は、Ｉ／Ｏ（Input／Output）機器制御部３２および内部バス３１を介して、表示器２０３と、タッチパネル２０２とに接続される。また制御部５０は、Ｉ／Ｏ機器制御部３２および内部バス３１を介して、入出金装置２０１と、レシートプリンタ２０４と、カードリーダ２０５と、発光部２０６と、表示器２０７と、ＨＤＤ３６とに接続される。
【００４３】
ＨＤＤ３６には、制御プログラムＰ２と、取引ファイルＦ３とが記憶されている。制御プログラムＰ２は、制御部５０が実行することによって、会計装置２０の各種制御を行うプログラムファイルである。取引ファイルＦ３は、登録装置１０から受信した商品登録情報、および、会計装置２０が実行した会計処理の結果を記録した会計データ等を格納するデータファイルである。なお、取引ファイルＦ３は、取引履歴を記録したデータとして用いられる。
【００４４】
（チェックアウトシステムの機能構成の説明）
次に、図６を用いて、チェックアウトシステム１の機能構成について説明する。図６は、チェックアウトシステム１の機能構成の一例を示す機能ブロック図である。
【００４５】
登録装置１０の制御部１５０は、ＨＤＤ１３６から読み出した制御プログラムＰ１をＲＡＭに展開して実行することにより、図６に示す表示制御部１５１と、入力受付部１５２と、上限値設定部１５３と、登録処理部１５４と、許可情報受信部１５５と、登録情報転送部１５６と、会計処理モニタ部１５７と、動作管理部１５８と、通信制御部１５９と、を機能部として実現する。
【００４６】
表示制御部１５１は、会計装置２０における会計待ち数を、表示器１０４に表示する。また、表示制御部１５１は、表示器１０４、客側表示器１０７に表示する画面表示データを生成して、生成した画面表示データを、表示器１０４、客側表示器１０７に表示する。例えば、表示制御部１５１は、商品の登録処理を行うための登録画面等を、表示器１０４に表示する。また、表示制御部１５１は、登録された商品情報や一取引の合計金額等を、客側表示器１０７に表示する。なお、表示制御部１５１は、表示手段の一例である。
【００４７】
入力受付部１５２は、スキャナ１０１、タッチパネル１０３、キーボード１０５からの各種入力を受け付ける。例えば、入力受付部１５２は、スキャナ１０１がコードシンボルから読み取った商品コードの入力を受け付ける。また、入力受付部１５２は、表示器１０４に表示された各種画面に対して、タッチパネル１０３がタッチ操作されると、その入力操作を受け付ける。また、入力受付部１５２は、キーボード１０５が操作されると、その入力操作を受け付ける。
【００４８】
上限値設定部１５３は、登録情報転送部１５６が転送可能な商品登録情報の上限値を設定する。なお、上限値設定部１５３は、設定手段の一例である。本実施形態では、上限値設定部１５３は、転送可能な商品登録情報の上限値を、前記したように２に設定しているものとする。
【００４９】
登録処理部１５４は、商品の登録処理を実行する。具体的には、登録処理部１５４は、スキャナ１０１、タッチパネル１０３を介して、商品の商品コードが入力されると、当該商品の商品情報をＰＬＵファイルＦ１から読み込む。そして、登録処理部１５４は、小計ボタンＢ１が操作されると、一取引における商品の登録処理を終了して、当該一取引に係る合計金額を確定する。そして登録処理部１５４は、当該取引における商品登録情報を生成する。なお、登録処理部１５４は、登録手段の一例である。
【００５０】
許可情報受信部１５５は、会計装置２０から、商品登録情報の転送を許可する転送許可情報を受信する。なお、許可情報受信部１５５は、許可情報受信手段の一例である。
【００５１】
登録情報転送部１５６は、許可情報受信部１５５が、会計装置２０から、転送許可情報を受信したことを条件として、会計装置２０に商品登録情報を転送する。なお、登録情報転送部１５６は、転送手段の一例である。
【００５２】
会計処理モニタ部１５７は、会計装置２０の動作状態をモニタする。具体的には、会計処理モニタ部１５７は、登録装置１０から転送された商品登録情報の数、転送された商品登録情報のうち未精算の商品登録情報の数等をモニタする。なお、会計処理モニタ部１５７は、モニタ手段の一例である。
【００５３】
動作管理部１５８は、登録装置１０の動作を管理する。なお、動作管理部１５８は、登録処理管理手段の一例である。動作管理部１５８は、具体的には、後述する状態管理テーブルＴ１（図７参照）を用いて、登録装置１０の動作を管理する。
【００５４】
通信制御部１５９は、通信Ｉ／Ｆ１４０を介して接続された会計装置２０との間における、各種情報の送受信を制御する。例えば、通信制御部１５９は、登録処理部１５４が生成した商品登録情報を会計装置２０に送信する。また、通信制御部１５９は、通信Ｉ／Ｆ１４０を介して接続された会計装置２０から、転送許可情報等を受信する。
【００５５】
また、会計装置２０の制御部５０は、ＨＤＤ３６から読み出した制御プログラムＰ２をＲＡＭに展開して実行することにより、図６に示す表示制御部５１と、入力受付部５２と、会計処理部５３と、許可情報送信部５４と、登録情報受信部５５と、登録情報記憶部５６と、動作管理部５７と、通信制御部５８と、を機能部として実現する。
【００５６】
表示制御部５１は、表示器２０３、２０７に表示する画面表示データを生成して、生成した画面表示データを、表示器２０３、２０７に表示する。例えば、表示制御部５１は、精算画面（図１６参照）等を表示器２０３に表示する。また、表示制御部５１は、会計装置２０で発生したエラーの内容等を表示器２０７に表示する。
【００５７】
入力受付部５２は、タッチパネル２０２、カードリーダ２０５からの各種入力を受け付ける。例えば、入力受付部５２は、タッチパネル２０２がタッチ操作されると、その入力操作を受け付ける。また、入力受付部５２は、カードリーダ２０５が顧客Ｃｉのクレジットカード等から読み取った情報を受け付ける。
【００５８】
会計処理部５３は、商品登録情報に係る会計処理を実行する。具体的には、会計処理部５３は、登録装置１０から転送された商品登録情報に基づいて、購入した商品の代金を精算（決済）する会計処理を行う。なお、会計処理部５３は、会計手段の一例である。
【００５９】
許可情報送信部５４は、登録装置１０に対して、商品登録情報の転送を許可する転送許可情報を送信する。なお、許可情報送信部５４は、送信手段の一例である。
【００６０】
登録情報受信部５５は、登録装置１０から転送された商品登録情報を受信する。なお、登録情報受信部５５は、登録情報受信手段の一例である。
【００６１】
登録情報記憶部５６は、登録情報受信部５５が受信した商品登録情報を、ＨＤＤ３６等に記憶する。
【００６２】
動作管理部５７は、会計装置２０の動作を管理する。なお、動作管理部５７は、会計処理管理手段の一例である。動作管理部５７は、具体的には、後述する状態管理テーブルＴ２（図７参照）を用いて、会計装置２０の動作を管理する。
【００６３】
通信制御部５８は、通信Ｉ／Ｆ４０を介して接続された登録装置１０との間における、各種情報の送受信を制御する。例えば、通信制御部５８は、通信Ｉ／Ｆ４０を介して接続された登録装置１０から、商品登録情報等を受信する。また、通信制御部５８は、会計装置２０の動作状態（会計処理中、会計待ち等）に関する情報を登録装置１０に送信する。
【００６４】
（登録装置と会計装置が備える状態管理テーブルの説明）
次に、図７を用いて、登録装置１０と会計装置２０が備える状態管理テーブルについて説明する。図７は、登録装置１０と会計装置２０がそれぞれ備える状態管理テーブルＴ１（Ｔ２）の一例を示す図である。
【００６５】
状態管理テーブルＴ１は、登録装置１０の動作管理部１５８が備えるテーブルである。また、状態管理テーブルＴ２は、会計装置２０の動作管理部５７が備えるテーブルである。状態管理テーブルＴ１と状態管理テーブルＴ２は全く同じ構造を有しており、項目毎に、状態管理テーブルＴ１のみに適用される情報と状態管理テーブルＴ２のみに適用される情報とが識別される。
【００６６】
状態管理テーブルＴ１（Ｔ２）は、登録装置１０および会計装置２０の動作状態を示す情報を格納する。そして、格納される情報は、登録装置１０が実行する登録処理の進行に応じて、会計装置２０と互いに通信を行いながら、随時更新される。
【００６７】
状態管理テーブルＴ１（Ｔ２）は、図７に示す各種情報を格納する。すなわち、商品登録情報転送数６０ａと、商品登録情報転送先会計装置番号６０ｂと、商品登録情報受信数６０ｃと、商品登録情報転送元登録装置番号６０ｄと、連続取引会計数６０ｅと、会計装置会計終了状態６０ｆと、登録装置固有通知送信中フラグ６０ｇと、会計装置固有通知受信中フラグ６０ｈと、会計装置未精算件数６０ｉと、登録装置未精算件数６０ｊとである。
【００６８】
商品登録情報転送数６０ａは、状態管理テーブルＴ１にのみ適用されて、登録装置１０から会計装置２０に転送した商品登録情報の件数を表す。商品登録情報転送数６０ａは、商品登録情報の転送が成功した際にインクリメントされて、上限値設定部１５３が設定した上限値の範囲内、本実施形態の場合では０、１、２の範囲で変動する。
【００６９】
商品登録情報転送先会計装置番号６０ｂは、状態管理テーブルＴ１にのみ適用されて、商品登録情報を転送する会計装置２０を一意に特定する識別番号等を表す。
【００７０】
商品登録情報受信数６０ｃは、状態管理テーブルＴ２にのみ適用されて、登録装置１０から転送された商品登録情報の件数を表す。商品登録情報受信数６０ｃは、商品登録情報の受信が成功した際にインクリメントされて、上限値設定部１５３が設定した上限値の範囲内、本実施形態の場合では０、１、２の範囲で変動する。
【００７１】
商品登録情報転送元登録装置番号６０ｄは、状態管理テーブルＴ２にのみ適用されて、商品登録情報の転送元である登録装置１０を一意に特定する識別番号を表す。
【００７２】
連続取引会計数６０ｅは、状態管理テーブルＴ２にのみ適用されて、会計処理中の商品登録情報の数を表す。連続取引会計数６０ｅは、会計処理を行う際に、会計装置２０の会計処理部５３が商品登録情報をロードした際にインクリメントされて、上限値設定部１５３が設定した上限値の範囲内、本実施形態の場合では０、１、２の範囲で変動する。
【００７３】
会計装置会計終了状態６０ｆは、状態管理テーブルＴ２にのみ適用されて、会計装置２０の会計終了状態を表す。会計装置会計終了状態６０ｆは、例えば、０から６の値を格納する。具体的には、初期値または会計処理を行っていないことを示す「０」、監視中であることを示す「１」、連続取引が終了したことを示す「２」、監視エラーを示す「３」、監視中断を示す「４」、終了確認中を示す「５」、次の取引を確認中であることを示す「６」の各値を格納する。
【００７４】
登録装置固有通知送信中フラグ６０ｇは、状態管理テーブルＴ１にのみ適用されて、商品登録情報の送信状態を表す。具体的には、商品登録情報の送信中には「１」が格納されて、商品登録情報の送信中でないときには「０」が格納される。
【００７５】
会計装置固有通知受信中フラグ６０ｈは、状態管理テーブルＴ２にのみ適用されて、商品登録情報の受信状態を表す。具体的には、商品登録情報の受信中には「１」が格納されて、商品登録情報の受信中でないときには「０」が格納される。
【００７６】
会計装置未精算件数６０ｉは、状態管理テーブルＴ２にのみ適用されて、会計装置２０において、会計処理が済んでいない商品登録情報の件数を表す。会計装置未精算件数６０ｉは、商品登録情報の受信が成功した際にインクリメントされて、会計処理の終了時にデクリメントされる。会計装置未精算件数６０ｉは、上限値設定部１５３が設定した上限値の範囲内、本実施形態の場合では０、１、２の範囲で変動する。
【００７７】
登録装置未精算件数６０ｊは、状態管理テーブルＴ１にのみ適用されて、登録装置１０が会計装置２０に転送した商品登録情報のうち、会計処理が済んでいない件数を表す。登録装置未精算件数６０ｊは、商品登録情報の転送が成功した際にインクリメントされて、会計処理の終了通知を受信した際にデクリメントされる。登録装置未精算件数６０ｊは、上限値設定部１５３が設定した上限値の範囲内、本実施形態の場合では０、１、２の範囲で変動する。
【００７８】
登録装置１０が備える動作管理部１５８（図６参照）は、状態管理テーブルＴ１を参照して、会計装置２０の動作状態を把握することによって、登録装置１０の動作を管理する。また、会計装置２０が備える動作管理部５７（図６参照）は、状態管理テーブルＴ２を参照して、登録装置１０の動作状態を把握することによって、会計装置２０の動作を管理する。
【００７９】
（登録装置が表示する画面の説明）
次に、図８から図１３を用いて、登録装置１０の表示制御部１５１が、表示器１０４に表示する画面の例について説明する。
【００８０】
図８は、登録装置１０の表示器１０４に表示される画面の一例を示す第１の図である。特に、図８は、商品登録を行っている際の表示画面７０ａの一例を示す図である。図８に示すように、表示制御部１５１は、表示画面７０ａの名称欄７１ａに、登録した商品の商品名を表示する。また、表示制御部１５１は、表示画面７０ａの点数欄７１ｂに購入点数を表示して、単価欄７１ｃに商品の単価を表示する。さらに、表示制御部１５１は、合計金額欄７１ｄに、税込合計金額を表示する。なお、２点以降の商品を登録した際に、先に登録された商品の情報は、表示画面７０ａの上部ウインドウに表示される。
【００８１】
表示制御部１５１は、表示画面７０ａの右下部に、小計ボタンＢ１を表示する。オペレータＯは、全ての商品の登録を終了した際に、小計ボタンＢ１を押下する。入力受付部１５２は、小計ボタンＢ１が押下されたことを検出した際に、表示制御部１５１に対して、表示画面７０ｂ（図９参照）を表示させる。
【００８２】
次に、図９は、登録装置１０の表示器１０４に表示される画面の一例を示す第２の図である。特に、図９は、小計ボタンＢ１が押下された際に、表示制御部１５１が表示する表示画面７０ｂの一例を示す図である。図９に示すように、表示制御部１５１は、表示画面７０ｂに、商品登録情報の会計装置２０への転送を指示するガイダンスウインドウＷ１と、商品登録情報の転送を指示する操作指示ウインドウＷ２を表示する。表示制御部１５１は、操作指示ウインドウＷ２の内部に、転送ボタンＢ２を表示する。入力受付部１５２が、転送ボタンＢ２が押下されたことを検出すると、登録情報転送部１５６は、商品登録情報を会計装置２０に転送する。
【００８３】
図１０は、登録装置１０の表示器１０４に表示される画面の一例を示す第３の図である。特に、図１０は、登録情報転送部１５６が、商品登録情報を会計装置２０に転送している際に、表示制御部１５１が表示する表示画面７０ｃの一例を示す図である。図１０に示すように、表示制御部１５１は、表示画面７０ｃとして、待機状態（アイドル状態）であることを示す空欄の画面を表示する。
【００８４】
図１１は、登録装置１０の表示器１０４に表示される画面の一例を示す第４の図である。特に、図１１は、２取引目の小計ボタンＢ１が押下された際に、表示制御部１５１が表示する表示画面７０ｄの一例を示す図である。すなわち、図１１に示す表示画面７０ｄの例では、操作指示ウインドウＷ２の右上部に、「１取引」と表示される。この表示は、会計待ち数、すなわち、既に１取引分の商品登録情報が転送済であって、なおかつ当該商品登録情報が未会計であることを示す。表示画面７０ｄにおいて、オペレータＯが転送ボタンＢ２を押下すると、登録情報転送部１５６は、商品登録情報を会計装置２０に転送する。
【００８５】
図１２は、登録装置１０の表示器１０４に表示される画面の一例を示す第５の図である。特に、図１２は、３取引目の小計ボタンＢ１が押下された際に、表示制御部１５１が表示する表示画面７０ｅの一例を示す図である。すなわち、図１２に示す表示画面７０ｅの例では、操作指示ウインドウＷ２の上部に、「転送不可  ２取引」と表示される。この表示は、既に、転送可能な上限値である２取引分の商品登録情報が会計装置２０に転送済であって、なおかつ当該商品登録情報が未会計であることを示す。表示画面７０ｅにおいて、転送不可であるにも関わらず、オペレータＯが転送ボタンＢ２を押下した場合には、登録情報転送部１５６は、商品登録情報を会計装置２０に転送せず、表示制御部１５１は、図１３に示す表示画面７０ｆを表示する。
【００８６】
図１３は、登録装置１０の表示器１０４に表示される画面の一例を示す第６の図である。特に、図１３は、商品登録情報の転送ができない状態にも関わらずに転送ボタンＢ２を押下した際に、表示制御部１５１が表示する表示画面７０ｆの一例を示す図である。表示画面７０ｆにおいて、ガイダンスウインドウＷ１には、商品登録情報の転送ができない旨を示すガイダンスが表示される。オペレータＯは、会計装置２０が、少なくとも１件の商品登録情報の会計処理を終了させるのを待って、再び転送ボタンＢ２を押下して、商品登録情報の転送を行う。
【００８７】
（会計装置が表示する画面の説明）
次に、図１４から図１６を用いて、会計装置２０の表示制御部５１（図６参照）が、表示器２０３に表示する画面の例について説明する。
【００８８】
図１４は、会計装置２０の表示器２０３に表示される画面の一例を示す第１の図である。特に、図１４は、会計装置２０が待機中である場合の表示画面８０ａの一例を示す図である。図１４に示すように、表示制御部５１は、会計装置２０が「待機中」であることを示す表示画面８０ａを表示する。
【００８９】
図１５は、会計装置２０の表示器２０３に表示される画面の一例を示す第２の図である。特に、図１５は、会計処理の開始時に表示される表示画面８０ｂの一例を示す図である。図１５に示すように、表示制御部５１は、支払方法の選択を促す表示画面８０ｂを表示する。表示画面８０ｂは、例えば、現金払い選択ボタンＢ３を含む。
【００９０】
図１６は、会計装置２０の表示器２０３に表示される画面の一例を示す第３の図である。特に、図１６は、表示画面８０ｂ（図１５参照）において、現金払い選択ボタンＢ３を押下した際に表示される表示画面８０ｃの一例を示す図である。図１６に示すように、表示制御部５１は、合計金額欄８１ａと、投入金額欄８１ｂと、釣銭欄８１ｃとを表示する。合計金額欄８１ａと、投入金額欄８１ｂと、釣銭欄８１ｃには、会計処理の進行に応じた金額が表示される。
【００９１】
合計金額欄８１ａには、商品登録情報に基づく合計金額が表示される。投入金額欄８１ｂには、顧客Ｃｉが、紙幣投入口２２および硬貨投入口２１（図４参照）から投入した合計金額が表示される。そして、釣銭欄８１ｃには、釣銭額が表示される。
【００９２】
さらに、表示制御部５１は、表示画面８０ｃに、精算の実行を指示する精算ボタンＢ４を表示する。入力受付部５２が、精算ボタンＢ４の押下を検出すると、会計処理部５３は精算を実行する。そして、釣銭が、紙幣出金口２３および硬貨出金部２４から払い出される。
【００９３】
（登録装置が行う処理の流れの説明）
次に、図１７を用いて、登録装置１０が行う処理の流れを説明する。図１７は、チェックアウトシステム１が行う処理の流れの一例を示すフローチャートである。
【００９４】
登録処理部１５４は、商品登録を行う（ステップＳ１０）。具体的には、登録処理部１５４は、オペレータＯが、スキャナ１０１、タッチパネル１０３を介して読み込ませた商品コードを、ＰＬＵファイルＦ１と照合することによって商品情報を特定する。そして、登録処理部１５４は、特定された商品情報を商品登録情報として登録する。
【００９５】
登録処理部１５４は、商品登録が完了したかを判定する（ステップＳ１２）。具体的には、登録処理部１５４は、小計ボタンＢ１（図８参照）が押下されたかを判定する。商品登録が完了したと判定される（ステップＳ１２：Ｙｅｓ）と、ステップＳ１４に移行する。一方、商品登録が完了したと判定されない（ステップＳ１２：Ｎｏ）と、ステップＳ１０に戻って、次の商品の登録を行う。
【００９６】
商品登録が完了すると、登録処理部１５４は、商品登録情報を生成する（ステップＳ１４）。
【００９７】
登録情報転送部１５６は、商品登録情報を会計装置２０に転送する転送指示があるかを判定する（ステップＳ１６）。具体的には、登録情報転送部１５６は、転送ボタンＢ２（図９参照）が押下されたかを判定する。転送指示があると判定される（ステップＳ１６：Ｙｅｓ）と、ステップＳ１８に移行する。一方、転送指示があると判定されない（ステップＳ１６：Ｎｏ）と、登録情報転送部１５６は、ステップＳ１６の判定を繰り返す。
【００９８】
ステップＳ１６において、商品登録情報の転送指示があると判定される（ステップＳ１６：Ｙｅｓ）と、登録情報転送部１５６は、許可情報受信部１５５が、会計装置２０から転送許可情報を受信したかを判定する（ステップＳ１８）。転送許可情報を受信したと判定される（ステップＳ１８：Ｙｅｓ）と、ステップＳ２０に移行する。一方、転送許可情報を受信したと判定されない（ステップＳ１８：Ｎｏ）と、登録情報転送部１５６は、ステップＳ１８の判定を繰り返す。
【００９９】
ステップＳ１８において、転送許可情報を受信したと判定される（ステップＳ１８：Ｙｅｓ）と、登録情報転送部１５６は、商品登録情報を会計装置２０に転送する（ステップＳ２０）。その後、ステップＳ１０に戻って、登録装置１０は、次の顧客の商品登録を行う。
【０１００】
（会計装置が行う処理の流れの説明）
続いて、図１７を用いて、会計装置２０が行う処理の流れを説明する。まず、動作管理部５７は、商品登録情報の転送数が上限値未満であるかを判定する（ステップＳ３０）。商品登録情報の転送数が上限値未満であると判定される（ステップＳ３０：Ｙｅｓ）と、ステップＳ３２に移行する。一方、商品登録情報の転送数が上限値未満であると判定されない（ステップＳ３０：Ｎｏ）と、ステップＳ３８に移行する。
【０１０１】
ステップＳ３０において、商品登録情報の転送数が上限値未満であると判定される（ステップＳ３０：Ｙｅｓ）と、許可情報送信部５４は、登録装置１０に対して、転送許可情報を送信する（ステップＳ３２）。
【０１０２】
登録情報受信部５５は、登録装置１０から商品登録情報を受信したかを判定する（ステップＳ３４）。商品登録情報を受信したと判定される（ステップＳ３４：Ｙｅｓ）と、ステップＳ３６に移行する。一方、商品登録情報を受信したと判定されない（ステップＳ３４：Ｎｏ）と、登録情報受信部５５は、ステップＳ３４の判定を繰り返す。
【０１０３】
ステップＳ３４において、商品登録情報を受信したと判定される（ステップＳ３４：Ｙｅｓ）と、動作管理部５７は、商品登録情報の転送数をインクリメントする（ステップＳ３６）。なお、動作管理部５７は、インクリメントされた商品登録情報の転送数を、状態管理テーブルＴ２（図７参照）に記録する。
【０１０４】
続いて、会計処理部５３は、精算指示があるかを判定する（ステップＳ３８）。精算指示があると判定される（ステップＳ３８：Ｙｅｓ）と、ステップＳ４０に移行する。一方、精算指示があると判定されない（ステップＳ３８：Ｎｏ）と、会計処理部５３は、ステップＳ３８の判定を繰り返す。
【０１０５】
ステップＳ３８において、精算指示があると判定される（ステップＳ３８：Ｙｅｓ）と、会計処理部５３は会計処理を行う（ステップＳ４０）。
【０１０６】
会計処理が終了すると、動作管理部５７は、商品登録情報の転送数をデクリメントする（ステップＳ４２）。その後、ステップＳ３０に戻って、会計装置２０は、次の会計処理に備える。
【０１０７】
以上説明したように、実施形態の登録装置１０（販売データ登録装置）によれば、登録処理部１５４（登録手段）が、客が購入する商品の商品情報を登録して、商品登録情報を生成する。そして、許可情報受信部１５５（許可情報受信手段）が、会計処理を行う１台の会計装置２０から、商品登録情報の転送を許可する転送許可情報を受信したことを条件として、登録情報転送部１５６（転送手段）が、会計装置２０に対して商品登録情報を転送する。したがって、会計装置２０が会計処理を行っている最中であっても、商品登録情報を転送することができ、これによって、会計待ちの顧客が登録装置１０に滞留するのを防止することができる。
【０１０８】
また、実施形態の登録装置１０によれば、会計処理モニタ部１５７（モニタ手段）が会計装置２０の動作状態をモニタして、動作管理部１５８（登録処理管理手段）が、会計処理モニタ部１５７のモニタ結果に基づいて、自身が行う登録処理の状態を管理する。したがって、登録装置１０は、会計装置２０の処理状態に応じて登録処理を進めることができる。
【０１０９】
また、実施形態の登録装置１０によれば、上限値設定部１５３（設定手段）が、登録情報転送部１５６が転送可能な商品登録情報の上限値を設定する。したがって、適切な数の顧客を会計装置２０に誘導することができ、これによって、店舗の混雑を緩和することができる。
【０１１０】
また、実施形態の登録装置１０によれば、表示制御部１５１（表示手段）が、会計装置２０における会計待ち数を表示する。したがって、オペレータＯは、会計装置２０の動作状態を即座に認識することができる。
【０１１１】
また、実施形態の会計装置２０によれば、許可情報送信部５４（送信手段）が、登録装置１０に対して、商品登録情報の転送を許可する転送許可情報を送信して、登録情報受信部５５（登録情報受信手段）が、登録装置１０から転送された商品登録情報を受信する。そして、会計処理部５３（会計手段）が、登録情報受信部５５（登録情報受信手段）が受信した商品登録情報に基づいて会計処理を行う。したがって、会計装置２０と登録装置１０とが連携して処理を進めることができる。
【０１１２】
また、実施形態の会計装置２０によれば、動作管理部５７（会計処理管理手段）が、登録装置１０から転送された商品登録情報と、会計装置２０の動作状態と、に基づいて、自身が行う会計処理の状態を管理する。したがって、会計装置２０と登録装置１０とが連携して処理を進めることができる。
【０１１３】
以上、本発明の実施形態を説明したが、この実施形態は例示であり、発明の範囲を限定することは意図していない。この新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【０１１４】
例えば、制御部１５０（５０）が実行する制御プログラムＰ１（Ｐ２）は、ＨＤＤ１３６（３６）に格納された状態で提供してもよいし、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供されてもよい。また、制御プログラムＰ１（Ｐ２）は、ネットワークに接続したコンピュータ上に格納して、ネットワーク経由でダウンロードすることによって提供してもよい。さらに、制御プログラムＰ１（Ｐ２）は、インターネット等のネットワーク経由で提供または配布してもよい。
【符号の説明】
【０１１５】
１    チェックアウトシステム
１０    登録装置（販売データ登録装置）
２０    会計装置
５１    表示制御部
５２、１５２    入力受付部
５３    会計処理部（会計手段）
５４    許可情報送信部（送信手段）
５５    登録情報受信部（登録情報受信手段）
５６    登録情報記憶部
５７    動作管理部（会計処理管理手段）
５８、１５９    通信制御部
１５１    表示制御部（表示手段）
１５３    上限値設定部（設定手段）
１５４    登録処理部（登録手段）
１５５    許可情報受信部（許可情報受信手段）
１５６    登録情報転送部（転送手段）
１５７    会計処理モニタ部（モニタ手段）
１５８    動作管理部（登録処理管理手段）
Ｂ１    小計ボタン
Ｂ２    転送ボタン
Ｐ１、Ｐ２    制御プログラム
Ｔ１、Ｔ２    状態管理テーブル
【先行技術文献】
【特許文献】
【０１１６】
【特許文献１】特許第５７８３１４９号公報
【図１】
2019128783.tif 000003
【図２】
2019128783.tif 000004
【図３】
2019128783.tif 000005
【図４】
2019128783.tif 000006
【図５】
2019128783.tif 000007
【図６】
2019128783.tif 000008
【図７】
2019128783.tif 000009
【図８】
2019128783.tif 000010
【図９】
2019128783.tif 000011
【図１０】
2019128783.tif 000012
【図１１】
2019128783.tif 000013
【図１２】
2019128783.tif 000014
【図１３】
2019128783.tif 000015
【図１４】
2019128783.tif 000016
【図１５】
2019128783.tif 000017
【図１６】
2019128783.tif 000018
【図１７】
2019128783.tif 000019